(57)【特許請求の範囲】
【請求項１】
一方の面に対して他方の面が傾斜し、互いに隣接して配置される複数の平面鏡と、
この一方の面と他方の面のうち少なくともいずれかの面と平行する面上に設置される水準器と、を備え、
前記一方の面と、前記他方の面は、それぞれ第１及び第２の鏡面を形成し、
この第１及び第２の鏡面は、それぞれ少なくとも一部分が一直線上に連続する第１及び第２の基準線が表示されることを特徴とする簡易線下明示器。
【請求項２】
前記水準器は、前記第１の基準線又は前記第２の基準線に対して直交する方向の傾斜を検出可能に配置されることを特徴とする請求項１記載の簡易線下明示器。
【請求項３】
前記複数の平面鏡は、それぞれの一端同士が連結部を介して連結されることを特徴とする請求項１又は請求項２記載の簡易線下明示器。
【請求項４】
前記連結部は、前記第１の鏡面と前記第２の鏡面がなす角度を、所望の角度で固定可能であることを特徴とする請求項３記載の簡易線下明示器。
【請求項５】
前記複数の平面鏡と、前記水準器と、を支持する支持板と、
この支持板に穿通されるスリットと、
前記支持板から紐体を介して地面方向へ吊り下げられる重錘と、が設けられ、
前記スリットは、その長手方向が、前記第１及び第２の基準線の延長線上に沿って配置され、
前記紐体は、その一端が前記支持板の取付部に取り付けられるとともに、他端が前記重錘と連結され、
この取付部は、前記第１及び第２の基準線上、又は、前記延長線上にあるいずれかの位置に設けられることを特徴とする請求項１乃至請求項４のいずれか１項に記載の簡易線下明示器。
【発明の詳細な説明】
【技術分野】
【０００１】
本発明は、電線の線下位置を明示するための簡易線下明示器に係り、特に、一方の面に対して他方の面が傾斜し、互いに隣接して配置される複数の平面鏡を備えた簡易線下明示器に関する。
【背景技術】
【０００２】
従来、電線の下方に各種の工作物を設置するためには、電線の線下から、規定された水平距離を離してこれらを設置することが求められている。したがって、電線の線下位置を正確に特定しなければ、電線の保守に際して、重機による作業範囲や樹木の保安伐採範囲を決定することができない。
しかし、電線の線下位置を特定するには、大型で精巧な測量機器やこれを支持する三脚を、作業の都度現場へ運搬し、測量する必要がある。そのため、山間部のような傾斜地は勿論のこと、平地においてもこれらの機材を運搬、設置さらに測量する際の作業負担が重くなるという課題があった。
そこで、このような課題を解決する目的で、近年、運搬等が容易であって、正確に電線の線下を明示可能な簡易型の線下明示器に関する技術が開発されており、それに関して既にいくつかの発明や考案が開示されている。
【０００３】
特許文献１には「簡易線下明示器」という名称で、軽量で容易に操作可能な簡易線下明示器に関する考案が開示されている。
以下、特許文献１に開示された考案について説明する。特許文献１に開示された簡易線下明示器に関する考案は、外筒内に中間筒が遊動可能に配置され、中間筒内に内筒が遊動可能に配置され、中間筒の上部で、かつ、中間筒の直径線上の点が外筒に枢支され、内筒の底壁内面が、内筒の軸線に直行する鏡面とされ、内筒の直径線上に細糸が張接され、内筒の中心に重錘が垂下されてなることを特徴とする。
このような特徴を備えた簡易線下明示器においては、内筒の鏡面が水平となるとき、内筒に張った糸と鏡面に写った糸の像とを結ぶ面は鉛直面となる。この鉛直面に高圧線が位置するよう装置を置いたとき、垂下した重錘の位置が高圧線の直下となる。したがって、線下明示を正確に行うことが可能であり、地理的条件が悪い場合であっても作業が容易である。
【０００４】
次に、特許文献２には「線下明示装置」という名称で、作業性の良好な線下明示装置に関する発明が開示されている。
特許文献２に開示された線下明示装置に関する発明は、上面が全面に亘って開放された筐体と、筐体の互いに対向した壁部の上縁部間に張設された線状体と、線状体が野外に架設された架設線と平面視で重なった状態において鉛直方向を指し示す、筐体に付設された鉛直指示手段とが備えられてなる架設線の直下位置を特定するための線下明示装置であって、筐体は、線状体を映すことが可能な鏡面と、鏡面の水平状態を検出する水平状態検出手段とを備え、水平状態検出手段は、筐体に取り付けられる気泡水準器であることを特徴とする。
このような特徴を備えた線下明示装置においては、線状体と、線状体および架設線の各鏡面映像とが互いに重なり合う位置に観察者が移動した場合に、鉛直指示手段が指し示す位置が架設線の直下位置となる。したがって、簡単な操作で架設線の線下を適正に明示することが可能であり、線下明示作業の作業性を良好なものにすることができる。
【０００５】
さらに、特許文献３には「簡易線下明示器」という名称で、小型で軽量の簡易線下明示器に関する発明が開示されている。
特許文献３に開示された簡易線下明示器に関する発明は、中央領域に１条の基準線を備える視準窓を一端部に有するとともに、少なくとも当該基準線とは直角な方向における水平度を検出可能な水準器を他端部に有し、光学的情報合成部を内蔵する円筒状の本体部と、その長さ方向略中間にて基準線と平行に延設され前記本体部に連通する接眼部とを備えており、光学的情報合成部は、視準窓の前方における視準対象物および基準線の間の位置情報および水準器での水平度についての情報を合成して得られる光学的情報を接眼部を通して出力するように構成されてなることを特徴とする。
このような特徴を有する簡易線下明示器においては、作業者が接眼部を覗きながら、その位置や傾きを変えて架空電線と基準線とを合致させるとともに、簡易線下明示器を僅かに傾けて気泡の位置を調整する。これにより、簡易線下明示器はその高さ位置で線下に位置することになり、その線下位置と測定対象の工作物との間の水平距離が測定される。したがって、短時間で線下位置の特定が可能になるとともに、機器自体の小型化、軽量化による運搬労力の低減を図ることができる。
【先行技術文献】
【特許文献】
【０００６】
【特許文献１】実願平２−２７４９１号（実開平３−１１７７１８号）のマイクロフィルム
【特許文献２】特開２０１１−６４４８５号公報
【特許文献３】特開２０１２−１０３０９３号公報
【発明の概要】
【発明が解決しようとする課題】
【０００７】
しかしながら、特許文献１に開示された考案においては、鏡面の真上から高圧線の像を観察する必要があり、作業者自身の顔が鏡面に映って高圧線の投影像を視認し難い。
また、鏡面は、１枚の平面鏡で構成されるため、高圧線の線路方向と垂直な方向における、糸と糸の像に対する高圧線のずれの大きさが把握し難いことが考えられる。
さらに、使用時には外筒が三脚によって支持されるので、簡易線下明示器を移動させる度に三脚の設置状態を調整する必要があり、三脚の設置に時間がかかる。
加えて、簡易線下明示器と三脚の組み合わせは、常時、携行や車載をすることが容易でない程度に嵩張る大きさであるので、運搬における使い勝手が良好でない可能性がある。
【０００８】
次に、特許文献２に開示された発明においては、特許文献１に開示された考案と同様に、作業者自身の顔が鏡体に映って線状体を視認し難いとともに、基準糸に対する線状体のずれの大きさが把握し難い可能性がある。
【０００９】
さらに、特許文献３に開示された発明においては、作業者は接眼部を覗きながら、架空電線と基準線とを合致させるとともに気泡の位置を調整するといった比較的注意深い作業を必要とすることから、簡単な操作により線下位置の特定が可能であるとは言えない可能性がある。また、接眼部を覗くと同時に足元を確認することができないので、傾斜地においては、作業者が転倒する危険性がある。
また、三脚を使用する場合には、特許文献１に開示された考案と同様に、三脚の設置に時間がかかるほか、使い勝手が良好でない可能性がある。
【００１０】
本発明は、このような従来の事情に対処してなされたものであり、複数の鏡面に投影された電線を明確に視認可能であることによって、簡単な操作で短時間に電線の線下位置を特定することができるとともに、小型、軽量な構成のため容易に携行することが可能な簡易線下明示器を提供することを目的とする。
【課題を解決するための手段】
【００１１】
上記目的を達成するため、請求項１記載の発明に係る簡易線下明示器は、一方の面に対して他方の面が傾斜し、互いに隣接して配置される複数の平面鏡と、この一方の面と他方の面のうち少なくともいずれかの面と平行する面上に設置される水準器と、を備え、一方の面と、他方の面は、それぞれ第１及び第２の鏡面を形成し、この第１及び第２の鏡面は、それぞれ少なくとも一部分が一直線上に連続する第１及び第２の基準線が表示されることを特徴とする。
このような構成の簡易線下明示器において、水準器は、例えば気泡管式やディジタル式のものが用いられる。また、「少なくとも一部分が一直線上に連続する第１及び第２の基準線」とは、第１の基準線と第２の基準線は、必ずしも、それぞれの全長が１本に連続して直線を形成している必要はなく、それぞれの一部分によって１本の連続する直線が形成されていると認識可能であれば良い。すなわち、第１の基準線と第２の基準線とは、一定間隔を空けて途切れていても良いという意味である。
【００１２】
上記構成の簡易線下明示を使用するには、複数の平面鏡によって電線を投影することができるように、水準器を確認しながら、例えば第１の鏡面を水平とする。その際、第１及び第２の鏡面上において、電線の線路方向と、第１及び第２の基準線とが重なり合う場合には、電線は、第１の基準線と平行であって、かつ第１の基準線の鉛直上方にあることとなる。すなわち、電線の線下位置が、第１の基準線によって特定される。この電線の線下位置とは、電線の鉛直下方にある位置をいう。
【００１３】
しかし、第１及び第２の鏡面上において、電線の投影像が１本に連続して直線を形成し、かつその線路方向が第１の基準線と重なり合うことなく平行している場合には、電線は、第１の基準線と平行であるものの第１の基準線の鉛直上方にないことが分かる。すなわち、電線の線下位置は、未だ第１の基準線によって特定されていない状態にある。
このほか、第１及び第２の鏡面上において、電線の投影像が１本に連続して直線を形成していない場合には、電線は第１の基準線と平行でなく、かつ第１の基準線の鉛直上方にないことが分かる。すなわち、電線の線下位置は、上述した場合と同様に、第１の基準線によって特定されていない状態にある。
このような状態の場合、第１及び第２の鏡面上において、電線の投影像が１本に連続して直線を形成し、かつその線路方向と、第１及び第２の基準線とが重なり合うよう簡易線下明示器の配置を調整することにより、電線の線下位置が第１の基準線によって特定される。
なお、水準器を確認しながら第２の鏡面を水平とすることで、電線の線下位置が第２の基準線によって特定されても良い。
【００１４】
次に、請求項２記載の発明は、請求項１記載の簡易線下明示器において、水準器は、第１の基準線又は第２の基準線に対して直交する方向の傾斜を検出可能に配置されることを特徴とする。
このような構成の簡易線下明示器においては、請求項１記載の発明の作用に加えて、水準器によって、第１の基準線又は第２の基準線に対して直交する方向について、第１及び第２の鏡面が水平に保持される。
なお、電線の線路方向と、第１及び第２の基準線とが重なり合う場合であっても、第１及び第２の鏡面が第１の基準線又は第２の基準線に対して直交する方向について、水平に保持されていない場合には、電線は第１の基準線の鉛直上方又は第２の基準線の鉛直上方にあることにはならない。そのため、水準器によって第１及び第２の鏡面が上記方向について水平に保持されることで、第１の基準線又は第２の基準線が、電線の線下に正確に配置される。
【００１５】
続いて、請求項３記載の発明は、請求項１又は請求項２記載の簡易線下明示器において、複数の平面鏡は、それぞれの一端同士が連結部を介して連結されることを特徴とする。
このような構成の簡易線下明示器において、連結部としては、例えば、複数の平面鏡同士を互いに固定可能な接着剤が考えられる。また、複数の平面鏡同士を連結又は分離可能な留めねじとボルトの組み合わせが考えられる。
上記構成の簡易線下明示器においては、請求項１又は請求項２記載の発明の作用に加えて、連結部によって、複数の平面鏡の双方を保持しなくても、第１の鏡面と第２の鏡面が互いに傾斜する状態が維持されるので、第１の鏡面と第２の鏡面に同時に電線が投影される。
【００１６】
そして、請求項４記載の発明は、請求項３記載の簡易線下明示器において、連結部は、第１の鏡面と第２の鏡面がなす角度を、所望の角度で固定可能であることを特徴とする。
このような構成の簡易線下明示器においては、請求項３記載の発明の作用に加えて、連結部によって、第１の鏡面と第２の鏡面がなす角度は所望の角度で固定されるので、線路方向の傾斜角度や作業者の立ち位置に応じてこの角度が微調整される。なお、連結部は、例えば、従来技術に係るフリーストップヒンジが使用されるが、所望の角度において第１の鏡面又は第２の鏡面を停止させることができる限り、その構造は特に限定されない。
【００１７】
そして、請求項５記載の発明は、請求項１乃至請求項４のいずれか１項に記載の簡易線下明示器において、複数の平面鏡と、水準器と、を支持する支持板と、この支持板に穿通されるスリットと、支持板から紐体を介して地面方向へ吊り下げられる重錘と、が設けられ、スリットは、その長手方向が、第１及び第２の基準線の延長線上に沿って配置され、紐体は、その一端が支持板の取付部に取り付けられるとともに、他端が重錘と連結され、この取付部は、第１及び第２の基準線上、又は、延長線上にあるいずれかの位置に設けられることを特徴とする。
このような構成の簡易線下明示器においては、請求項１乃至請求項４のいずれか１項に記載の発明の作用に加えて、水準器を確認しながら第１の鏡面又は第２の鏡面を水平とし、電線の線路方向と、第１及び第２の基準線とを重ね合わせると、スリットを通して視認される重錘が近接した地面の位置が電線の線下位置となる。
【発明の効果】
【００１８】
本発明の請求項１記載の簡易線下明示器によれば、一方の面に対して他方の面が傾斜し、互いに隣接して配置される複数の平面鏡を備えることで、第１及び第２の鏡面上において、電線の投影像が１本に連続して直線を形成していない場合を明確に検出することができる。すなわち、本請求項記載の簡易線下明示器によれば、第１及び第２の基準線に対する電線のずれの大きさを把握し易い。そのため、電線の線下位置を特定するための操作を正確かつ迅速に行うことができる。
また、第１及び第２の鏡面を備えることにより、これらの鏡面の真上から電線の像を観察する必要がなく、作業者自身の顔が第１及び第２の鏡面に映って電線の投影像を視認し難いという課題を解決することができる。
さらに、本請求項記載の簡易線下明示器によれば、使用時に三脚によって支持される必要性がないので、簡単な操作で短時間に電線の線下位置を特定することができる。加えて、小型、軽量な構成のために運搬時の負担がわずかであり、常時、携行や車載をするのに好適である。
【００１９】
次に、本発明の請求項２記載の簡易線下明示器によれば、請求項１記載の発明の効果に加えて、水準器によって、第１の基準線又は第２の基準線が電線の線下に正確に配置されるので、精度の高い線下位置の特定が可能である。
【００２０】
本発明の請求項３記載の簡易線下明示器によれば、請求項１又は請求項２に記載の発明の効果に加えて、連結部によって、複数の平面鏡の双方を保持しなくても、電線の線下位置を特定することが可能であるため、使い勝手が良好である。
【００２１】
本発明の請求項４記載の簡易線下明示器によれば、請求項３に記載の発明の効果に加えて、連結部によって、線路方向の傾斜角度や作業者の立ち位置に応じて第１の鏡面と第２の鏡面がなす角度が微調整されることから、安定して電線の投影像を視認することができる。
【００２２】
本発明の請求項５記載の簡易線下明示器によれば、請求項１乃至請求項４のいずれか１項に記載の発明の効果に加えて、地面付近の重錘をスリットを通して視認可能であるため、重錘が設けられていない場合と比較すると、電線の線下位置をより精度良く特定することができる。
【図面の簡単な説明】
【００２３】
【図１】（ａ）は本発明の実施例１に係る簡易線下明示器の側面図であり、（ｂ）は（ａ）におけるＡ方向矢視図である。
【図２】（ａ）及び（ｂ）は、それぞれ本発明の実施例１に係る簡易線下明示器の使用状態及び不使用状態を示す斜視図である。
【図３】（ａ）乃至（ｃ）は、それぞれ本発明の実施例１に係る簡易線下明示器の作用を説明するための模式図である。
【図４】（ａ）は本発明の実施例２に係る簡易線下明示器の側面図であり、（ｂ）は（ａ）におけるＢ方向矢視図である。
【発明を実施するための形態】
【実施例１】
【００２４】
本発明の実施の形態に係る実施例１の簡易線下明示器について、図１を用いて詳細に説明する。図１（ａ）は本発明の実施例１に係る簡易線下明示器の側面図であり、図１（ｂ）は図１（ａ）におけるＡ方向矢視図である。
図１（ａ）及び図１（ｂ）に示すように、本実施例に係る簡易線下明示器１は、一方の面に対して他方の面が傾斜し、互いに隣接して配置される平面鏡２，３と、平面鏡２の面と平行する面上に設置される水準器５と、を備える。また、平面鏡２，３は、それぞれの一端２ａ，３ａが連結部４を介して連結される。
さらに、平面鏡２，３は、それぞれ合成樹脂製の支持ケース６，７に嵌め込まれ、例えば、接着剤（図示せず）によって固定されており、一方の面と、他方の面は、それぞれ鏡面８及び鏡面９を形成する。この鏡面８及び鏡面９は、いずれも同等の長方形状をなし、ほぼ一直線上に連続する基準線１０及び基準線１１が表示される。この基準線１０，１１は、鏡面８，９の長手方向（図中Ｘ方向）に沿って、わずかな間隔を空け、油性塗料によって描出されている。
【００２５】
また、連結部４は、支持ケース６の端面６ａと支持ケース７の端面７ａを連結して設けられる。この連結部４は、端面６ａに設けられる環状の固定軸４ａと、端面７ａに設けられる回動軸４ｂと、一端が回動軸４ｂに係止されるとともに他端において固定軸４ａを締め付けながらその内部空間に収容するコイルバネ（図示せず）と、から構成されるフリーストップヒンジである。このような構成においては、回動軸４ｂが回動しても、固定軸４ａがコイルバネに締め付けられた状態が維持されるので、連結部４は、鏡面８と鏡面９がなす角度θを、所望の角度で固定可能である。なお、鏡面８と鏡面９が互いに平行するように折り畳まれた場合（図２（ｂ）参照）の角度θ＝０度を基準とする。
さらに、水準器５は、筒型の気泡管式であって、水準器５の内部に封入された気泡（図示せず）が基準線１０又は基準線１１に対して直交する方向（図中Ｙ方向）に沿って移動するように、その長手方向が配置される。すなわち、水準器５は、Ｙ方向について、鏡面８，９の傾斜を検出可能に配置される。なお、水準器５は、例えば、接着剤を用いて支持ケース６に固定されてもよい。
【００２６】
次に、実施例１に係る簡易線下明示器の構成について、図２を用いてより詳細に説明する。図２（ａ）及び図２（ｂ）は、それぞれ本発明の実施例１に係る簡易線下明示器の使用状態及び不使用状態を示す斜視図である。なお、図１で示した構成要素については、図２においても同一の符号を付して、その説明を省略する。
図２（ａ）に示すように、本実施例に係る簡易線下明示器１を使用する場合、鏡面８と鏡面９がなす角度θを０度より大きく、かつ１８０度以上の間で、所望の角度に固定する。このうち、９０度≦θ≦１８０度の場合では、作業者が水準器５の側から鏡面８，９を観察することができる。また、角度θが１８０度以上の場合では、作業者が水準器５とは反対の側から鏡面８，９を観察することができる。
ただし、角度θが１８０度に近づくと、鏡面８，９があたかも１枚の平面鏡を構成するようになるため、この場合には複数の平面鏡２，３が設けられた意味が失われる。また、角度θが２７０度に近づくと、電線は鏡面８又は鏡面９のいずれか一方に投影される可能性があるので、この場合にも複数の平面鏡２，３が設けられた意味が失われる。これを防止するためには、角度θを、電線の線路方向の傾斜角度や作業者の立ち位置に応じて適宜調整すると良い。
また、図２（ｂ）に示すように、本実施例に係る簡易線下明示器１を使用しない場合では、角度θが０度となるように鏡面８，９を折り畳むことができる。
【００２７】
続いて、実施例１に係る簡易線下明示器１の作用について、図３を用いながら詳細に説明する。図３（ａ）乃至図３（ｃ）は、それぞれ本発明の実施例１に係る簡易線下明示器の作用を説明するための模式図である。なお、図１及び図２で示した構成要素については、図３においても同一の符号を付して、その説明を省略する。さらに、水準器５と支持ケース６，７の図示も省略する。
図３（ａ）乃至図３（ｃ）は、いずれも、鏡面８と鏡面９がなす角度θが１５０度であり、基準線１０が表示された鏡面８のＹ方向が水準器５（図１，図２参照）によって水平に保持されている場合に、簡易線下明示器１の上方に架設された１本の電線（図示せず）が鏡面８，９に投影されている状態を示したものである。
図３（ａ）に示すように、鏡面８，９において、電線の投影像１２が１本に連続して直線を形成し、かつ基準線１０，１１からΔＹ１の距離を空けて、基準線１０，１１と平行に投影されている。したがって、図３（ａ）は、電線が、基準線１０，１１と平行であるものの基準線１０の鉛直上方にない状態を示すものである。
また、水準器５の気泡を確認することによって、Ｙ方向について、鏡面８が水平に保持されているか否かを確認できるので、鏡面８がＹ方向について水平に保持されていれば、基準線１０は電線の線下に正確に配置されていることになる。これは、図３（ｂ）及び図３（ｃ）においても同様である。
【００２８】
また、図３（ｂ）に示すように、鏡面８，９において、電線は、２本の投影像１２ａ，１２ｂに分割されて投影されている。しかもこれらの投影像１２ａ，１２ｂは、基準線１０，１１に対しそれぞれ傾斜して投影されており、このうち、一端２ａ，３ａにおいては、投影像１２ａと投影像１２ｂは、ΔＹ２の距離を空けて投影されている。このΔＹ２は、電線の線路方向に対して基準線１０，１１が傾斜している場合に発生するずれが検出されたものである。したがって、図３（ｂ）は、電線が基準線１０と平行でなく、かつ基準線１０の鉛直上方にない状態を示すものである。
次に、図３（ｃ）に示すように、鏡面８，９において、電線の投影像１２が１本に連続して直線を形成し、かつ基準線１０，１１と重なり合って投影されている。したがって、図３（ｃ）は、電線が、基準線１０と平行であり、かつ基準線１０の鉛直上方にある状態を示すものである。すなわち、電線の線下位置が、基準線１０によって特定されることになる。
このように、電線の投影像１２，１２ａ，１２ｂが図３（ａ）又は図３（ｂ）に示された状態である場合に、これらを図３（ｃ）に示される状態とするには、作業者が水準器５の気泡を確認しつつ、簡易線下明示器１の位置を変化させれば良い。
【００２９】
さらに、実施例１に係る簡易線下明示器１の効果について詳細に説明する。本実施例の簡易線下明示器１によれば、複数の平面鏡２，３を備えることで、鏡面８，９上において、電線が２本の投影像１２ａ，１２ｂに分割されて投影されている状態を明確に検出することができる。すなわち、簡易線下明示器１によれば、鏡面８と鏡面９が角度θをなして互いに傾斜させた状態で配設することができるので、電線の線路方向と基準線１０，１１のずれΔＹ２を高感度で検出することができる。そのため、電線の線下位置を特定するための操作を正確かつ迅速に行うことができる。これに対し、従来技術に係る線下明示器によれば、１枚の平面鏡に１本の基準線のみが設けられているため、上記のような基準線に対する電線のずれを把握し難い。
【００３０】
また、鏡面８と鏡面９が互いに傾斜する配置の場合、鏡面８，９の真上から電線の投影像１２，１２ａ，１２ｂを観察する必要がなく、作業者自身の顔が鏡面８，９に映って投影像１２，１２ａ，１２ｂを視認し難いという課題を解決することができる。
加えて、簡易線下明示器１によれば、連結部４によって角度θを所望の角度で固定可能であるので、使用時に平面鏡２，３の双方を保持しなくても、投影像１２，１２ａ，１２ｂを鏡面８，９に同時に投影し、電線の線下位置を特定することが可能である。さらに、電線の線路方向の傾斜角度や作業者の立ち位置に応じて角度θを容易に微調整することができる。したがって、周囲の状況に関わらず安定して電線の投影像１２，１２ａ，１２ｂを視認することができる。
【００３１】
そして、水準器５を確認することで、基準線１０，１１に対して直交する方向（Ｙ方向）について、鏡面８，９を水平に保持することが可能である。したがって、図３（ｃ）に示すように、鏡面８，９において、電線の投影像１２が基準線１０，１１と重なり合って投影されていれば、基準線１０，１１が、電線の線下に正確に配置されることになり、精度の高い線下位置の特定が可能である。
また、簡易線下明示器１は、作業者によって保持され、その位置を容易に変化させることができる。すなわち、使用時に三脚によって支持される必要性がないので、簡単な操作で短時間に電線の線下位置を特定することが可能であり、作業効率を向上させることができる。加えて、小型、軽量な構成のために運搬時の負担がわずかであり、常時、携行や車載をするのに好適である。
【００３２】
なお、簡易線下明示器１の構造は本実施例に示すものに限定されない。例えば、３枚以上の平面鏡が折り畳み可能に連結されてもよい。また、連結部４は、支持ケース６，７の端面６ａ，７ａ以外の位置に設けられても良い。あるいは、連結部４は、角度θを一定とするように、接着剤に置換されても良い。さらに、水準器５は、支持ケース７に固定されて平面鏡３の面と平行する面上に設置されても良く、筒型以外の気泡管式、例えば丸型の気泡管式のほか、ディジタル式であっても良い。あるいは、基準線１０，１１は、蛍光塗料による描出のほか、ビニールテープの貼着によって形成されても良い。
【実施例２】
【００３３】
本発明の実施の形態に係る実施例２の簡易線下明示器について、図４を用いて詳細に説明する。図４（ａ）は本発明の実施例２に係る簡易線下明示器の側面図であり、図４（ｂ）は図４（ａ）におけるＢ方向矢視図である。なお、図１乃至図３で示した構成要素については、図４においても同一の符号を付して、その説明を省略する。
図４（ａ）及び図４（ｂ）に示すように、実施例２に係る簡易線下明示器１３は、平面鏡２，３と、水準器５と、を支持する支持板１４と、この支持板１４に穿通されるスリット１５と、支持板１４から紐体１６を介して地面Ｇ方向へ吊り下げられる重錘１７と、が設けられる。この重錘１７は、縦断面が鋭角の先端１７ａを備えた円錐形状をなしている。なお、平面鏡３は、平面鏡２を介して支持板１４によって間接的に支持されている。ただし、簡易線下明示器１３では、一端２ａ，３ａが、いずれも連結部である接着剤１８によって互いに固着されているので、鏡面８と鏡面９のなす角度φは一定である。
また、スリット１５は、その長手方向Ｘ１が、基準線１０，１１の延長線Ｌ上に沿って配置される。
さらに、紐体１６は、その一端１６ａが支持板１４の取付部１４ａに取り付けられるとともに、他端１６ｂが重錘１７と連結される。そして、この取付部１４ａは、基準線１０，１１の延長線Ｌ上にある位置に設けられたフック部材（図示せず）である。したがって、紐体１６は、このフック部材へ容易に着脱可能である。この他の構成は、実施例１に係る簡易線下明示器１と同様である。
【００３４】
続いて、実施例２に係る簡易線下明示器１３の作用について詳細に説明する。
本実施例の簡易線下明示器１３においては、図３（ｃ）に示したように、電線の線下位置が基準線１０によって特定されている場合に、水準器５の側から斜めにスリット１５を覗く（図中矢印Ｅ）と、紐体１６を介して吊り下げられた重錘１７が観察される。このとき、スリット１５の長手方向Ｘ１が基準線１０，１１の延長線Ｌ上に沿って配置されるとともに、紐体１６の取付部１４ａはこの延長線Ｌ上にある位置に設けられることから、スリット１５と、紐体１６及び重錘１７は、すべて電線から鉛直下方に沿って配列された状態にある。したがって、重錘１７の先端１７ａが近接した地面Ｇの位置が電線の線下位置となる。この他の作用は、実施例１に係る簡易線下明示器１と同様である。
【００３５】
以上説明したように、簡易線下明示器１３によれば、地面Ｇ付近の重錘１７の先端１７ａをスリット１５を通して視認可能であるため、重錘１７が設けられていない実施例１に係る簡易線下明示器１と比較すると、電線の線下位置をより精度良く特定することができる。この他の効果は、実施例１に係る簡易線下明示器１と同様である。
【００３６】
なお、簡易線下明示器１３の構造は本実施例に示すものに限定されない。例えば、取付部１４ａは、基準線１０，１１上にあるいずれかの位置に設けられても良い。また、水準器５とスリット１５の配置を互いに入れ替えてもよい。さらに、平面鏡２，３は、接着剤１８の代わりに、フリーストップヒンジや留めねじとボルトの組み合わせ等の連結部を介して連結されてもよい。このほか、支持ケース６，７は、省略されてもよい。
【産業上の利用可能性】
【００３７】
本発明は、簡単な操作で短時間に電線の線下位置を特定することができるとともに、携行が容易な簡易線下明示器として適用可能である。
【符号の説明】
【００３８】
１…簡易線下明示器  ２，３…平面鏡  ２ａ，３ａ…一端  ４…連結部  ４ａ…固定軸  ４ｂ…回動軸  ５…水準器  ６，７…支持ケース  ６ａ，７ａ…端面  ８，９…鏡面  １０，１１…基準線  １２，１２ａ，１２ｂ…投影像  １３…簡易線下明示器  １４…支持板  １４ａ…取付部  １５…スリット  １６…紐体  １６ａ…一端  １６ｂ…他端  １７…重錘  １７ａ…先端  １８…接着剤
【要約】
【課題】複数の鏡面に投影された電線を明確に視認可能であることによって、簡単な操作で短時間に電線の線下位置を特定することができるとともに、小型、軽量な構成のため容易に携行することが可能な簡易線下明示器を提供する。
【解決手段】一方の面に対して他方の面が傾斜し、互いに隣接して配置される平面鏡２，３と、この一方の面と他方の面のうち少なくともいずれかの面と平行する面上に設置される水準器５と、を備え、一方の面と、他方の面は、それぞれ鏡面８，９を形成し、鏡面８，９は、それぞれ少なくとも一部分が一直線上に連続する基準線１０，１１が表示される。
【選択図】図１【図１】
0005878230.tif 000002
【図２】
0005878230.tif 000003
【図３】
0005878230.tif 000004
【図４】
0005878230.tif 000005